(57)【要約】【課題】セーフ・ゾーンを有する磁気記録ディスクを有するディスク・ドライブを提供すること。【解決手段】セーフ・ゾーンの表面テクスチャによって、ヘッドはディスクのデータ・ゾーン上方よりも高く浮揚するようにされる。【選択図】図１
2004273108.tif 000002
【特許請求の範囲】
【請求項１】
読出し動作または書込み動作のうち少なくとも一方の間に、ディスク上方で第１の高さでヘッドを動作させるステップと、
ディスク上方で前記第１の高さよりも高い第２の高さでヘッドを動作させるステップとを含むディスク・ドライブの動作方法。
【請求項２】
前記ヘッドはアイドリング動作中にディスク上方で前記第２の高さで動作させられる請求項１に記載の方法。
【請求項３】
前記ヘッドは、読出し動作または書込み動作中にディスクリート・トラック記録（ＤＴＲ）パターン表面の上方で動作させられると共に、アイドリング動作中、前記ＤＴＲパターン表面に対して平坦な表面テクスチャの上方で動作させられる請求項２に記載の方法。
【請求項４】
前記平坦な表面はおおむね平滑である請求項３に記載の方法。
【請求項５】
前記平坦な表面はクロスハッチ・テクスチャを有する請求項３に記載の方法。
【請求項６】
前記平坦な表面はラジアル・テクスチャを有する請求項３に記載の方法。
【請求項７】
前記平坦な表面は傾斜テクスチャを有する請求項３に記載の方法。
【請求項８】
第１の浮揚高さは約ゼロである請求項１に記載の方法。
【請求項９】
前記第１の高さでヘッドを動作させるステップは前記データ・ゾーン上方で行われる請求項１に記載の方法。
【請求項１０】
前記第２の高さでヘッドを動作させるステップは非データ・ゾーンおよび非ランディング・ゾーン上方で行われる請求項９に記載の方法。
【請求項１１】
前記第２の高さは前記ディスクの表面を利用して生成される請求項１に記載の方法。
【請求項１２】
前記表面はおおむね平滑である請求項１１に記載の方法。
【請求項１３】
前記表面はクロスハッチ・テクスチャを有する請求項１１に記載の方法。
【請求項１４】
前記表面はラジアル・テクスチャを有する請求項１１に記載の方法。
【請求項１５】
前記表面は傾斜テクスチャを有する請求項１１に記載の方法。
【請求項１６】
データを格納する複数のデータ・トラックを有する第１ゾーンと、
ヘッドが前記第１ゾーン上方にある場合よりもヘッドの浮揚高さを高くする表面を有する第２ゾーンと含む磁気記録ディスク。
【請求項１７】
前記磁気ディスクが動作していない場合に、前記ヘッドがパーキングされる第３ゾーンを更に含む請求項１６に記載のディスク。
【請求項１８】
前記第２ゾーンの表面はクロスハッチ・テクスチャを有する請求項１６に記載のディスク。
【請求項１９】
前記第２ゾーンの表面はおおむね平滑である請求項１６に記載のディスク。
【請求項２０】
前記第２ゾーンの表面はラジアル・テクスチャを有する請求項１６に記載のディスク。
【請求項２１】
前記第２ゾーンの表面は傾斜溝を有する請求項１６に記載のディスク。
【請求項２２】
前記ヘッドは前記第１ゾーン上方にある場合に前記磁気ディスクと接触する請求項１６に記載のディスク。
【請求項２３】
前記第１ゾーンはディスクリート・トラック記録パターンを含むと共に、前記第２ゾーンは前記第１ゾーンの表面に対して平坦な表面を有する請求項１６に記載のディスク。
【請求項２４】
前記第２ゾーンの前記平坦な表面はクロスハッチ・テクスチャを有する請求項２３に記載のディスク。
【請求項２５】
前記第２ゾーンの前記平坦な表面はおおむね平滑である請求項２３に記載のディスク。
【請求項２６】
前記第２ゾーンの前記平坦な表面はラジアル・テクスチャを有する請求項２３に記載のディスク。
【請求項２７】
前記第２ゾーンの前記平坦な表面は傾斜溝を有する請求項２３に記載のディスク。
【請求項２８】
前記第１ゾーンはデータ・ゾーンである請求項１６に記載のディスク。
【請求項２９】
前記第２ゾーンはセーフ・ゾーンである請求項２８に記載のディスク。
【請求項３０】
浮揚高さにあるヘッドからデータを格納する手段と、
前記ディスクの表面テクスチャを利用して、前記ヘッドの前記浮揚高さを高くする手段とを含む磁気記録ディスク。
【請求項３１】
前記浮揚高さを高くする手段は前記磁気記録ディスクと前記ヘッドとの間の空気圧を高めて、前記ヘッドの前記浮揚高さを高くすることを含む請求項３０に記載のディスク。
【請求項３２】
ディスク側に第１表面テクスチャを有する第１ゾーンと、
ディスク側に第２表面テクスチャを有する第２ゾーンと、
ディスク側に第３表面テクスチャを有する第３ゾーンとを含むと共に、前記第３表面テクスチャが前記第１表面テクスチャおよび前記第２表面テクスチャとは異なっている磁気記録ディスク。
【請求項３３】
前記第２ゾーンは隆起エリアと凹みエリアのパターンを含むと共に、前記第３ゾーンは隆起エリアを含む請求項３２に記載のディスク。
【請求項３４】
前記第２表面テクスチャは円周テクスチャ・パターンを含むと共に、前記第３表面テクスチャはおおむね平滑な表面を含む請求項３３に記載のディスク。
【請求項３５】
前記第３表面テクスチャはおよそ２０゜から９０°のクロスハッチ・テクスチャ・パターンを含む請求項３２に記載のディスク。
【請求項３６】
前記第３表面テクスチャはラジアル・テクスチャ・パターンを含む請求項３２に記載のディスク。
【請求項３７】
前記第３表面テクスチャは傾斜テクスチャ・パターンを含む請求項３２に記載のディスク。
【請求項３８】
前記第１ゾーンは接触開始−停止ゾーンである請求項３２に記載のディスク。
【請求項３９】
前記ディスク上の前記第２ゾーンはデータを格納するように構成されている請求項３２に記載のディスク。
【請求項４０】
スピンドル・アセンブリと、
前記スピンドル・アセンブリに結合された磁気記録ディスクとを含み、前記磁気ディスクは、
ディスク側に第１表面テクスチャを有する第１ゾーンと、
ディスク側に第２表面テクスチャを有する第２ゾーンと、
ディスク側に第３表面テクスチャを有する第３ゾーンとを含むと共に、前記第３表面テクスチャは前記第１表面テクスチャおよび前記第２表面テクスチャとは異なっているディスク・ドライブ。
【請求項４１】
前記第２ゾーンは隆起エリアと凹みエリアのパターンを含むと共に、前記第３ゾーンは隆起エリアを含む請求項４０に記載のディスク・ドライブ。
【請求項４２】
前記第２ゾーンは円周テクスチャ・パターンを含むと共に、前記第３ゾーンはほぼ平滑な表面を含む請求項４１に記載のディスク・ドライブ。
【請求項４３】
前記第３表面テクスチャはおよそ９０°のクロスハッチ・テクスチャ・パターンを含む請求項４０に記載のディスク・ドライブ。
【請求項４４】
前記第３表面テクスチャはラジアル・テクスチャ・パターンを含む請求項４０に記載のディスク・ドライブ。
【請求項４５】
前記第３表面テクスチャは傾斜テクスチャ・パターンを含む請求項４０に記載のディスク・ドライブ。
【請求項４６】
前記第１ゾーンは接触開始−停止ゾーンである請求項４０に記載のディスク・ドライブ。
【発明の詳細な説明】
【技術分野】
【０００１】
本発明の実施形態はディスク・ドライブの分野に関し、特にディスク・ドライブ・システムで使用されるディスクに関する。
【背景技術】
【０００２】
ハード・ディスク記録システムの分野では、磁気記録ディスクの面積密度（表面積単位当たりに記憶されるビット数）を高めるために継続的な改良がなされてきた。よく知られているように、例えば読取り／書込みヘッドの浮揚高さを低くすると、より高い記録密度を可能にするＰＷ５０（読取りヘッドの出力振幅が絶縁遷移に応動してピーク値の５０％であるパルス幅）が生ずる。これまでヘッドをメディアにより近付けることが、記録密度を高める努力の鍵になる領域であった。
【０００３】
浮揚ヘッドを使用した現在のディスク・ドライブ・システムでは、ヘッドの読取り／書込み動作中に接触しないように、ヘッドとディスクとの間に空気の防護膜がある。読取り／書込みヘッドは一般的にはディスクの上方を浮揚する「スライダ」と呼ばれているより大きいボディの一部であるか、またはこれに連結されている。スライダはエア・ベアリング面（ＡＢＳ）と呼ばれる下面を有している。ＡＢＳは一般に正の空気圧を発生する。加えて、正圧にある程度まで平衡する準円周圧を発生する空洞、またはこれに類する構造がある場合がよくある。スライダのボディはこれをディスク方向にバイアスさせるヘッド・ジンバル・アセンブリを介してサスペンションに取付けられている。ＡＢＳおよびサスペンションの実質効果は、ディスクのフルスピード時にスライダを所望の高さに浮揚させることである。この実質効果によって、接触開始−停止（ＣＳＳ）ディスク・ドライブ・システムでは、ディスクが静止状態にある時スライダがディスク表面と接触させる。スライダとディスクとのこの接触は、ドライブがオン・オフに切り替えられる際にＣＳＳゾーンとして知られているエリアで生ずる。ロード・ランプ・ドライブと呼ばれる他の種類のディスク・ドライブ・システムは、ドライブがオフにされるとヘッドをディスク面ではなくランプ上にパーキングさせる。
【発明の開示】
【発明が解決しようとする課題】
【０００４】
双方の種類のディスク・ドライブ・システムとも、動作時間中のかなりの期間にわたってディスクが命令を待機して回転している間、ヘッドはアイドル状態にあり、データ領域上で浮揚している。記録密度を高めようとする努力において、読取り／書込みヘッドの浮揚高さを低くすると、ドライブ動作中にディスクと断続的に接触する頻度と可能性が高まる。このような断続的な接触によって、ヘッドは不安定に浮揚し、データの再読取りにエラーが生ずる。最悪のシナリオの場合、衝突の衝撃が激しすぎると、ヘッドの破壊が生じ、ヘッドおよび／またはディスクが損傷することがある。ドライブの通常動作中にディスクは極めて高速で回転するので、ヘッドがディスクに不都合に接触しないようにすることが重要な課題である。
【０００５】
面積密度を高めることの必要性がますます高まることで、ヘッドが動作時にディスクと直に接触する接触式、または準接触式の磁気ヘッド技術を利用するディスク・ドライブ・システムのある種の高度な設計へと駆り立てられている。このヘッド技術を利用する際の問題点の１つは、潤滑油が徐々に移動し、またディスク面の保護カーボン被覆が場合によって磨耗することで、ヘッドの継続的な磨耗によりディスク面が劣化することである。場合によってはこのような磨耗により、壊滅的な故障およびデータの損失が生ずる。接触式、または準接触式ヘッド技術の別の問題点は、急変する温度（例えばヘッドとディスクとの摩擦による瞬間的な超高温）によるヘッドの劣化であり、それによって、磁気ピン層のフィールドの切換えにより磁気ヘッド・トランスデューサの感度が役立たなくなる場合があることである。その上、ヘッドと磁気ディスクとの境界面が粒子とガス放出の双方により敏感に晒されて、過酷な熱、または浮揚高さが高いことによる読取りまたは書込みエラーのリスクが高まる。
【発明を実施するための最良の形態】
【０００６】
本発明の実施形態は、本発明の実施形態を例証するために使用される以下の説明および添付の図面を参照することによって最も良く理解することができる。
【０００７】
図１はディスク・ドライブ・システムの磁気ディスクの一実施形態の平面図である。
【０００８】
図２は磁気ディスクのパターン形成されたデータ・ゾーンとヘッドの一実施形態の断面透視図である。
【０００９】
図３Ａ、３Ｂ、３Ｃはデータ・ゾーン・テクスチャ・パターンの代替実施形態である。
【００１０】
図４Ａ、Ｂは磁気記録ディスクの異なるゾーン上方でのヘッドの一実施形態の断面図である。
【００１１】
図５は図４Ａおよび４Ｂに関連してセーフ・ゾーン上方でヘッドを位置決めするプロセスの一実施形態である。
【００１２】
図６Ａ、６Ｂ、６Ｃはセーフ・ゾーンのディスク面テクスチャの代替実施形態である。
【００１３】
図７はディスク・ドライブ・システムの一実施形態である。
【００１４】
図８はコンピュータ・システムの一実施形態である。
【００１５】
以下の説明で、本発明を十分に理解するための多くの特定の細部が開示される。しかし、本発明はこれらの特定の細部なしでも実施できることが分かる。他の例では、本発明を曖昧にしないために、公知の回路、構造、および技術は詳細には示していない。
【００１６】
本明細書で用いられる用語の「上」、「下」および「間」とは、１つの層の他の層に対する相対位置のことである。したがって、他の層の上または下に堆積され、または配置された１つの層または部品は他の層と直に接触している場合と、１つまたは複数の介在層を有している場合がある。更に、層の間に堆積され、または配置された１つの層は、層と直に接触していてもよく、または１つまたは複数の介在層を有していてもよい。
【００１７】
磁気ディスク・ドライブ・システムの信頼性を高めるための、磁気記録ディスク上のセーフ・ゾーンが開示される。本磁気記録ディスク上のセーフ・ゾーンによって、セーフ・ゾーン上方のヘッドは、ディスク・ドライブの動作時（例えば書込みまたは読取り動作）にヘッドの浮揚高さよりも高い距離だけ浮揚させられる。ディスクの内径の近くやディスクの外径の近く、さらには外径の部分に１つまたは複数のセーフ・ゾーンを分散させてもよい。セーフ・ゾーンのディスク面の構造および／またはテクスチャと、ディスクのデータ・ゾーンの面構造および／またはテクスチャとを変えることによって、ヘッドをより高く浮揚するようにすることができる。セーフ・ゾーン上方のヘッドの浮揚高さがより高いと、接触による磨耗が減り、ディスク・ドライブ・システムの機械的信頼性が高まる。
【００１８】
図１はディスク・ドライブ・システム１００の磁気記録ディスクの一実施形態の平面図を示す。磁気ディスク１００はランディング・ゾーン１０と、セーフ・ゾーン２０と、データ・ゾーン４０とを含んでいる。ランディング・ゾーン１０はディスク１００が回転していない時にヘッドを置くゾーンである。一実施形態では、ランディング・ゾーン１０は、ディスクが回転していない時にヘッドがディスクと接触するＣＳＳ式ディスクのＣＳＳゾーンでよい。ディスク１００の記録容量を高めるために、ＣＳＳゾーンのためにディスク上の内径（ＩＤ）領域を利用してもよい。あるいは、ランディング・ゾーン１０のために中央の領域または外径領域のような他の領域を用いてもよい。一実施形態では、ＣＳＳゾーンは、ヘッド１１０がランディング・ゾーン１０から上昇したり、そこに着地したりする際にスティクションを軽減するテクスチャ・パターン（例えばレーザー誘発バンプ・テクスチャ）を有している。あるいは、ディスクの非回転時にヘッドがディスク面ではなくランプ上にパーキングされるロード式ディスク・ドライブ・システムでは、ランディング・ゾーンはランプの下方にある非接触エリアであってもよい。
【００１９】
セーフ・ゾーン２０は後に詳述するように、ヘッドがアイドリング状態にある時に、ヘッドをより高く浮揚させる表面構造および／またはテクスチャを有するゾーンである。後述するように、セーフ・ゾーン２０の表面テクスチャはデータ・ゾーン４０やランディング・ゾーン１０の表面テクスチャとは異なっている。データ・ゾーン４０はこの分野の専門家には知られている方法でデータを格納するように動作する磁性材料を含んでいる。図１には２つのデータ・ゾーン４０が示されているが、ディスク１００は２つ以上、または２つ未満のデータ・ゾーンを有していてもよい。一実施形態では、データ・ゾーン４０は、図２に関連して後述するようにＤＴＲパターンを含んでいる。あるいは、セーフ・ゾーン２０は非ＤＴＲパターンのディスクと共に使用するのにも適している。
【００２０】
セーフ・ゾーン２０は２つのデータ・ゾーンの間の中間位置にあるものとして示されているが、１つまたは複数のセーフ・ゾーン２０を磁気ディスク１００上のどの位置に配置してもよいことを理解されたい。例えば、セーフ・ゾーン２０をディスクの内径または外径のいずれに配置してもよく、またはディスク１００の１つまたは複数の内径と外径の間の位置に挟み込んでもよい。セーフ・ゾーン２０を１つまたは複数の位置に挟み込むことによって、ヘッド１１０がアイドリング状態にある時に、ヘッド１１０がデータ・ゾーン４０からセーフ・ゾーン２０へと移動する距離が短縮され、それによって平均アクセス時間の劣化が最小限になる。
【００２１】
図２は磁気ディスクのパターン形成されたデータ・ゾーンとヘッドの断面透視図である。ディスク１００は複数の薄膜層を含んでおり、そのいくつかは以下の説明を明解にするために省略してある。ディスク・ドライブの動作中、ディスク１００のデータ・ゾーン４０上のデータの読取りや書込みは、この分野の通常の専門家にはよく知られている方法で、回転するディスク１００の上方でヘッド１１０が浮揚することによって行われる。
【００２２】
例えば、ディスク１００への書込み（データを格納する）動作を行うには、ディスク１００の磁気媒体の分極を変更させて電子データを格納するために、ヘッド１１０はデータ・ゾーン４０の書込み可能データ・トラックの上方に位置決めされる。例えばヘッド１１０は、読取り動作を行うための読取り素子と、書込み動作を行うための書込み素子とを有する、巨大磁気抵抗性（ＧＭＲ）ヘッドのような二重素子ヘッドでもよい。あるいは、ヘッド１１０は磁気抵抗（ＭＲ）ヘッド、または読取り動作と書込み動作の双方を行うための共通素子を有する誘導性ヘッドのような別の種類のヘッドでもよい。
【００２３】
一実施形態では、ディスク１００は例えばパターン層１３０に形成されたディスクリート・トラック記録パターンを含んでいてもよい。記録密度を高める方法の１つは、ディスクリート・トラック記録（ＤＴＲ）と呼ばれる、ディスクリート・データ・トラックを形成するためにディスク面にパターンを形成することである。ＤＴＲディスクは標準的には、データを格納する一連の、同心の隆起ゾーン（例えば丘、ランド、隆起部など）、およびサーボ情報を格納できる凹みゾーン（例えば谷、谷間、溝など）を有している。データが隆起ゾーンに不慮に格納されることを禁止、または防止するため、凹みゾーンは隆起ゾーンを隔てている。ディスクリート・スタンプ・パターンは型押し、その他によりパターン層１３０へと形成され、磁気層１５０は型押し前または後にパターン層１３０上に配置される。データがパターン形成された記録媒体に書き込まれる際に、隆起エリア１７０はデータ・トラックを構成する。サーボ（ヘッド位置決め）情報のような情報は凹みエリア１６０に格納される。あるいはサーボ情報は、セクタ内にインターリーブされ隆起エリア１７０に格納される。隆起エリア１７０と凹みエリア１６０とは、標準的には交互の同心円として形成されるが、他の構造（例えばらせん）も考えられる。したがって、凹みエリア１６０は隆起エリア１７０（例えばデータ・トラック）を互いに遮断し、その結果、物理的、かつ磁気的の双方で区画されたデータ・トラックが生ずる。ＤＴＲパターンの形成はこの分野では公知であるので、詳細には説明しない。
【００２４】
磁気ディスク・ドライブ・システムでは、ランディング・ゾーン１０、セーフ・ゾーン２０、およびデータ・ゾーン４０でのヘッド１１０の動きを制御するために、電子ドライブ・インテリジェンス・ソフトウェアを利用している。一実施形態では、ディスク・ドライブ・システムが回転し、かつヘッドが読取り−書込み動作を行っていない場合（例えばアイドリング）、図５に関連してより詳細に後述するように、電子ドライブ・インテリジェンス・ソフトウェアはヘッド１１０をセーフ・ゾーン２０の上方へと向ける。
【００２５】
ディスク１００の基板１２０はテクスチャ化されており、複数の薄膜層（例えば磁気記録層１５０）がその基板１２０上に配置される。一実施形態では、ディスク１００をガラス基板、または金属／金属合金基板で製造する。使用できるガラス基板には、例えばホウケイ酸ガラス、およびアルミノケイ酸塩ガラスのようなガラスを含むシリカが含まれる。使用してもよい金属合金基板には、例えばＡｌＭｇ基板が含まれる。代替実施形態では、ポリマーやセラミックを含む他の基板材料を使用してもよい。
【００２６】
一実施形態では、１つまたは複数のゾーン（ランディング・ゾーン１０、セーフ・ゾーン２０、データ・ゾーン４０）のために、基板１２０の表面上（または例えばメッキされたＮｉＰ層のような、基板上に配置された層上）に１つまたは複数のテクスチャを形成してもよい。一実施形態では、ディスク１００上に堆積された磁気薄膜層１５０内に所望の磁気配向を生成させるためデータ・ゾーン４０をテクスチャ化してもよい。データ・ゾーン４０をテクスチャ化すると、磁気記録層１５０の磁気媒体の好適な円周配向を促進させることができる。ディスク１００上の磁気媒体の好適な円周配向は、磁気媒体から可能な最良の性能を得るために最適な信号−ノイズ比（ＳＮＲ）を達成するのに役立つ。
【００２７】
図３Ａ、３Ｂ、３Ｃはデータ・ゾーン・テクスチャ・パターンの代替実施形態を示す。図３Ａはロゼット・テクスチャ・パターンを有する磁気ディスクを示す。図３Ｂは円周テクスチャ・パターンを有する磁気ディスクを示す。図３Ｃはクロスハッチ・テクスチャ・パターンを有する磁気ディスクを示す。例えば、一実施形態では、図３Ｂに示された円周テクスチャ・パターンは基板１２０上の隆起ゾーンの表面に超微細な円周（またはほぼ円周）の溝、またはスクラッチを有している。基板１２０は固定的な、または自由な研磨加工を用いて機械的にテクスチャ化できる。例えばクロスハッチ・テクスチャを作製するには、動作中に回転するスピンドル・プラットフォームに基板を固定する。ダイアモンド・スラリで処理されたテープがテープ・ローラ上に取付けられ、基板に対して位置決めされる。機械はスピンドルを振動させるように構成されているので、テープ・ローラがテープを基板の表面に押付ける間に、基板を前後に移動させる。基板内の溝は基板表面を横切って移動される個々のダイアモンド粒子の軌道によって作製される。その結果生ずる軌道によって作製されたテクスチャ・パターンは、基板プラットフォームの振動周波数と基板プラットフォームの回転周波数の双方との関係によって決まる。
【００２８】
ある周波数で、粒子の軌跡は連続的なディスクの回転中に再トレースされず、したがって、図３Ｃに示すように、織り交ざって基板上のクロスハッチ・テクスチャを形成する溝を作製する。あるいは、他の振動周波数と回転周波数とを用いてもよい。例えば、振動周波数と回転周波数とが整合するか、（または例えば整数比を有するか）、またはプラットフォーム／テープが振動しない場合には、図３Ｂに示すように、テープ粒子の軌跡が基板上に円周のテクスチャ・パターンを生ずる。あるいは、型押しテクスチャリングまたはレーザー・テクスチャリングのような他のテクスチャリング方法を用いてもよい。本発明はここに記載したテクスチャ・パターンに限定されるものではなく、通常の専門家にはよく知られている他のテクスチャ・パターンを用いてもよいことを理解されたい。
【００２９】
一実施形態では、（例えばＣＳＳゾーンとして機能する）ランディング・ゾーン１０をテクスチャ化させてヘッド１１０とディスク１００の表面とのスティクションを減らしてもよい。ＣＳＳ性能を高めるために、スライダとディスクとのスティクションを最小限にしなければならないことは理解されよう。静摩擦、もしくはスティクションは、ヘッドがディスク面上で休止している場合に、ディスク面に対するスライダの動きに対する力を説明するために用いられる用語である。ＣＳＳテクスチャ・パターンは、公知の方法を用いて基板表面を機械的に研磨することによって、ディスクに施すことができる。あるいは、ＣＳＳゾーン内に必要なテクスチャを備えるために、例えばレーザー・テクスチャリングのような他の方法を用いてもよい。レーザー・テクスチャリングの場合、ディスク面上の小スポットにレーザー・ビームが集束され、制御可能なパターンで均一な形状とサイズのテクスチャが形成される。
【００３０】
ＣＳＳ動作への要求と対照的に、データの読取りと書込みに対しては、ヘッドをディスク面のできるだけ近くで浮揚させるために、データ・ゾーン４０上の最上層の表面ができるだけ平滑であることが望ましい。ＣＳＳディスク・ドライブに対してディスクが使用される場合は、このように要求が異なるので、ランディング・ゾーン１０は、連続して堆積される層を通って伝播してディスク１００上の最上層（例えば被覆保護層）の表面に基板表面上のテクスチャリングが現れるように、データ格納のために使用されるディスクのデータ・ゾーン４０の部分よりも強くテクスチャ化されてもよい。
【００３１】
データ・ゾーン４０はＣＳＳゾーンよりも平滑であるので、滑空高さ（ディスク面のどの部分とも接触せずに、ヘッド・スライダが浮揚できる最小距離）と滑空アバランシェ高さ（ヘッド・スライダがディスク面と規則的かつ継続的に接触する平均ディスク面レベル上方の距離）の双方とも、ＣＳＳゾーン内よりもデータ・ゾーン４０内の方が低い。したがって、ヘッドがデータ・ゾーン４０上方からＣＳＳゾーンへと移動すると、ヘッド１１０の滑空アバランシェ高さは高くなる。何故ならば、ヘッド１１０はディスク面、スライダの磨耗、およびくずの発生を招くＣＳＳゾーン内での不慮の接触がないように、２つのゾーン間で安全に移動できなければならないからである。しかし、このような高さの増大はヘッドの読取り／書込み動作、またはアイドリング中には発生しない。むしろ、このようなヘッド高さの増加は、ディスク・ドライブがターンオフされた、システムの電源遮断中にだけしか起こらない。
【００３２】
図６Ａから６Ｄはヘッドがデータ・ゾーン上方にある場合よりも高く浮揚するようにさせるために利用できる代替のセーフ・ゾーン・ディスク面のテクスチャを示す。例えば、セーフ・ゾーン２０内のディスク１００の表面は、図６Ａに示すようにＤＴＲパターン構造なしの平坦な平滑面であってよい。平坦面はおおむね平坦である二次元表面でよく、おおむね均一な深さと厚みを有している。図６Ｂはラジアル溝を有するセーフ・ゾーン面構造を示す。一実施形態では、溝は、幅が約１０ミクロンであるランドとピッチ約１０ミクロンの間隔でラジアル方向を向いている。図６Ｃは傾斜溝を有するセーフ・ゾーン面構造を示す。図６Ｄはクロスハッチ溝を有するセーフ・ゾーン面構造を示す。一実施形態では、セーフ・ゾーン内での溝の深さはデータ・ゾーン内の平坦面に対する溝の深さと同じであるか、それよりも浅くてもよいことを理解されたい。更に、セーフ・ゾーン内でクロスハッチ溝によって形成される角度は、データ・ゾーン内でクロスハッチ・テクスチャによって形成される角度とは異なることを理解されたい。例えば、データ・ゾーン内で形成される角度は、セーフ・ゾーン（例えばセーフ・ゾーン内でクロスハッチによって形成される２０から７０°の角度）より大きい。
【００３３】
図６Ａから６Ｄに示された各セーフ・ゾーン面構造内で、溝の間隔とランドの幾何形状は浮揚高さがデータ・ゾーン（例えば円周ＤＴＲパターン面構造）の上方でよりも高くなるように最適化される。図６Ａから６Ｄに示された各実施形態では、ヘッドのヘッド浮揚方向１８への浮揚時にヘッドの下の空気漏れ圧を減らすことによって、形成される表面パターンはヘッドをより高く浮揚させる。ヘッド１１０の浮揚高さを高くするために、例えば円のマトリクスを供えたテクスチャのような更に別のテクスチャ・パターンを用いてもよいことを理解されたい。
【００３４】
図６Ｂ、６Ｃ、６Ｄに示されたテクスチャ・パターンは接触式の記録ドライブ・システムでのヘッド１１０のエア・ベアリング面（ＡＢＳ）用のクリーニング面としても機能することが理解されよう。ヘッドの浮揚方向１８に対して横向きの溝は、ＡＢＳ上の「シュースクレイピング(shoe scraping)」作用の機能を果たす。
【００３５】
ディスク１００上のディスクリート・トラック・パターン、および／またはセーフ・ゾーン・テクスチャを作製するために、１つまたは複数の型押し工具、もしくはスタンパを使用してもよい。一実施形態では、スタンパはデータ・ゾーン内のディスクリート・トラック・パターンの隆起エリア１７０に付与されたテクスチャで作製してもよい。代替実施形態では、この分野の通常の専門家にはよく知られているレーザー・テクスチャ・ツールを利用してディスク１００上にさまざまなセーフ・ゾーン・パターンを作製してもよい。一実施形態では、セーフ・ゾーン２０のサイズはヘッドの幅（およそ１ｍｍ幅）とほぼ同じでよい。
【００３６】
図４Ａと４Ｂはデータ・ゾーンとセーフ・ゾーンとを有する磁気ディスク１００の断面図を示す。図５は図４Ａ、４Ｂを参照して、セーフ・ゾーン２０のトラック上方にヘッド１１０を位置決めするプロセスの流れを示す。ブロック５１０で、電子ドライブ・インテリジェンス・ソフトウェアが磁気ディスク１００のデータ・ゾーン４０の読取りおよび／または書込み動作を行う命令を受ける。ブロック５２０で、ヘッド１１０は図４Ａに示すように、読取りおよび／または書込み動作を行うための浮揚高さ１１でデータ・ゾーン４０上方に位置決めされる。例えば、データ・ゾーン上方の標準的な浮揚高さは２．５から７．６ナノメートルでよい。これに対して、セーフ・ゾーン上方の標準的な浮揚高さは３．６３から１１．０２ナノメートル、すなわちデータ・ゾーン上方の場合よりも約４５％高い浮揚高さである。
【００３７】
ブロック５３０で、読取りおよび／または書込み動作が実行される。読取りおよび／または書込み動作が完了すると、ブロック５４０で図４Ｂに示すようにヘッド１１０が浮揚高さ１２でセーフ・ゾーン２０の上方に位置する。このようにして、セーフ・ゾーン２０の上方のヘッド１１０の浮揚高さ１２は、データ・ゾーン４０の上方にある場合の、読取り−書込み１１０の浮揚高さ１１よりも高い。一般に、読取りおよび／または書込み動作を実施した後、ヘッド１１０はアイドリング状態になり、磁気ディスク１００は回転し続けて、後続の命令を待機する。
【００３８】
浮揚高さを高くすることができることによって、ヘッド１１０とディスク１００との間に隙間が生じ、ひいてはヘッド１１０とディスク１００の磨耗が緩和される。このことは接触式、または準接触式記録ヘッド技術を利用したディスク・ドライブ・システムでは特に望ましいが、それは、このようなシステムがヘッドと磁気ディスクとがより近接する、または直に接触する磁気技術を必要とするからである。ドライブ・システムは継続的な読取り／書込みをしないので、ヘッド１１０がより高く浮揚する１つまたは複数のセーフ・ゾーン２０上方でヘッドを再位置決めすることによって、相当量のヘッド・ディスクの磨耗を回避でき、それによってヘッド１１０とディスク１００との隙間を大きくし、ディスク・システムがアイドリング状態にあり、読取り／書込み動作を行っていない間にディスクと接触することが避けられることに留意されたい。このようにして、このヘッド・ディスクの境界面の機械的信頼性が大幅に高まる。
【００３９】
ブロック５４０に続いて、電子ドライブ・インテリジェンス・ソフトウェアはヘッド１１０に対してデータ・ゾーン４０で引続いて読取りおよび／または書込み動作を行うように命令するか、またはヘッド１１０に対してランディング・ゾーン１０に戻るように命令する。ランディング・ゾーン１０では、ヘッド１１０は（ランディング・ゾーンがＣＳＳゾーンである実施形態では）ランディング・ゾーンの表面上に直に休止し、ディスク１１０は新たな動作命令を受けるまで回転を停止する。
【００４０】
本発明の実施形態の範囲から離れることなく、図５に示した方法に組み込まれるプロセスはより多くても、少なくてもよく、また、ここに図示し、説明しているブロックの構成によって特定の順序が示されるものではないことが理解されよう。更に、図５に関連して説明した方法は、例えばソフトウェアのような機械が実行可能な命令に組み込んでもよいことが理解されよう。命令によって、命令がプログラムされた汎用または専用のプロセッサが前述の動作を実行できるようにされる。あるいは、動作を実行するためのハードウェア論理を含む特定のハードウェア部品によって、またはプログラムされたコンピュータ・コンポーネントとカスタム・ハードウェア・コンポーネントとの何らかの組合せによって動作を実行できよう。
【００４１】
この方法は、これを実行するためコンピュータ（またはその他の電子デバイス）をプログラムするために利用できる命令が格納された機械読取り可能な媒体として提供されても良い。本明細書の目的では、「機械読取り可能な媒体」という用語には機械によって実行される命令シーケンスを格納またはエンコードすることができ、また本発明の方法論のいずれか１つを機械に実行させるいずれかの媒体を含んでいる。したがって「機械読取り可能な媒体」という用語は、ソリッドステート・メモリ、光ディスクと磁気ディスク、およびデータ信号をエンコードする搬送波を含むものと解釈されるべきであるが、それらに限定されるものではない。更に、この分野では、ある形式、または別の形式のソフトウェア（例えばプログラム、手順、プロセス、アプリケーション、モデュール、論理など）が動作し、結果を生ずるということは一般的である。このような表現は、コンピュータによるソフトウェアの実行によって、コンピュータのプロセッサが動作し、または結果を生みだすことを表す簡略な方法であるにすぎない。
【００４２】
図７はディスク（例えばディスク１００）を有するディスク・ドライブを示す。ディスク・ドライブ７００はデータを格納する１つまたは複数のディスク（例えばディスク１００）を含んでいてもよい。ディスク１００はドライブ・ハウジング７８０に取付けられたスピンドル・アセンブリ７６０上にある。アクチュエータ７１１はサスペンション・アーム７１２によってヘッド１１０に連結されている。アクチュエータ７１１はドライブ・ハウジングに連結され、サスペンション・アーム７１２、ひいてはヘッド１１０を半径方向にディスク１００上の所望の位置に移動させる。スピンドル・モータ（図示せず）はスピンドル・アセンブリ７６０、ひいてはディスク１００を回転させて、この分野では公知である所望のディスク・トラックに沿った特定の位置にヘッド１１０を位置決めする。ディスク１００に対するヘッド１１０の位置は、位置制御回路７７０によって制御できる（例えば、位置制御回路７７０に電子ドライブ・インテリジェンス・ソフトウェアを格納してもよい）。
【００４３】
電子ドライブ・インテリジェンス・ソフトウェアは、サスペンション・アーム７１２に対して、ディスク上方のヘッドの浮揚高さを高くする命令を発するようにプログラムすることもできる。しかし、浮揚高さを高くするこのような方法は、前述のように、浮揚高さを高くするためにセーフ・ゾーンを有する受動的な磁気ディスクの実施を利用するよりも高価である。
【００４４】
磁気ディスク・ドライブ・システム７００は、図８に示すようにコンピュータ・システムに結合してもよいことを理解されたい。コンピュータ・システム８４０はプロセッサ８５０、メモリ８５５、ディスク・ドライブ・システム７００、およびシステム・バス８６５に結合された入力／出力メモリ機構８６０を含んでいる。メモリ８５５は、プロセッサ８５０によって実行されると、ここに記載している方法を実行する電子ドライブ・インテリジェンス・ソフトウェアのような命令を格納するように構成されている。入力／出力８６０によって磁気ディスク・ドライブ・システム７００への、またそこからのデータの伝送が可能になる。加えて、入力／出力８６０は、受信機、送信機、視角ディスプレイ、およびプロセッサ８５０によってアクセス可能であるいかなる種類の付加的な記憶装置をも含む機械読取り可能な媒体とインターフェースする。
【図面の簡単な説明】
【００４５】
【図１】ディスク・ドライブ・システムの磁気ディスクの一実施形態の平面図である。
【図２】磁気ディスクのパターン形成されたデータ・ゾーンとヘッドの一実施形態の断面透視図である。
【図３】データ・ゾーン・テクスチャ・パターンの代替実施形態である。
【図４】磁気記録ディスクの異なるゾーン上方でのヘッドの一実施形態の断面図である。
【図５】図４Ａおよび４Ｂに関連してセーフ・ゾーン上方でヘッドを位置決めするプロセスの一実施形態である。
【図６】セーフ・ゾーンのディスク面テクスチャの代替実施形態である。
【図７】ディスク・ドライブ・システムの一実施形態である。
【図８】コンピュータ・システムの一実施形態である。
【符号の説明】
【００４６】
１０  ランディング・ゾーン
２０  セーフ・ゾーン
４０  データ・ゾーン
１００  ディスク
【図１】
2004273108.tif 000003
【図２】
2004273108.tif 000004
【図３】
2004273108.tif 000005
【図４】
2004273108.tif 000006
【図５】
2004273108.tif 000007
【図６】
2004273108.tif 000008
【図７】
2004273108.tif 000009
【図８】
2004273108.tif 000010